(57)【要約】【課題】  従来の軸部に相当するパネル取付部の構成部品であるナット部の構造を簡単なものとし、金型費用も安価にし、かつ剛性も高め、しかも取付け、取外しをより容易にし、再使用も可能とする。【解決手段】  ワイヤ等の線材を束ねる線材結束部１と、車体等のパネル200に立設されたスタッドボルト201に取付くパネル取付部２とを備えた線材留め具において、パネル取付部が、線材結束部と連結された筒体部４とこの筒体部に嵌入されるナット部５とから成り、筒体部の内部に半球よりも若干大きめの空間７を形成し、ナット部を多角形状の頭部５Ａと筒体部の空間に嵌入される球体部５Ｂとから構成し、この球体部を筒体部の空間入口を押し拡げ、あるいは球体部の球径を縮小させて当該空間へ嵌入させた状態で回転可能とし、球体部の内部を中空１０とし、この内部にスタッドボルトが球体部中空内に挿入されたときスタッドボルトのねじに係止する係止爪６を形成したものである。【選択図】  図２
2006060973.tif 000002
【特許請求の範囲】
【請求項１】
ワイヤ等の線材を束ねる線材結束部と、車体等のパネルに立設されたスタッドボルトに取付くパネル取付部とを備えた線材留め具において、
前記パネル取付部が、線材結束部と連結された筒体部とこの筒体部に嵌入されるナット部とから成り、
前記筒体部の内部に半球よりも若干大きめの空間を形成し、
前記ナット部を多角形状の頭部と筒体部の空間に嵌入される球体部とから構成し、
この球体部を筒体部の空間入口を押し拡げ、あるいは球体部の球径を縮小させて当該空間へ嵌入させた状態で回転可能とし、
前記球体部の内部を中空とし、この内部に前記スタッドボルトが球体部の中空内に挿入されたときスタッドボルトのねじに係止する係止爪を形成したことを特徴とする線材留め具。
【請求項２】
前記ナット部の球体部外周部に可撓性を有する弾性羽根を筒体部内面に圧接させることを特徴とする請求項１に記載の線材留め具。
【請求項３】
前記筒体部には線材結束部の他に複数の上下アーム間に線材を通すクランプ部も連結したことを特徴とする請求項１又は２に記載の線材留め具。
【請求項４】
前記線材結束部を、バンド、テープ、上下部材で挟むヒンジロックタイプのいずれかから構成したことを特徴とする請求項１ないし３のいずれか１項に記載の線材留め具。
【請求項５】
前記ナット部の頭部にも球体部の中空に連通する貫通孔を形成したことを特徴とする請求項１ないし４のいずれか１項に記載の線材留め具。
【発明の詳細な説明】
【技術分野】
【０００１】
本発明は、ワイヤ等の線材を束ねる線材結束部と、車体等のパネルに立設されたスタッドボルトに取付くパネル取付部とを備えた線材留め具に関し、特にパネル取付部の構造を工夫した線材留め具に関する。
【背景技術】
【０００２】
従来の車体（パネル）のスタッドボルトに係止されるワイヤの留め具としては、図７に示すようにワイヤＷの束を巻回して保持するバンド部１００と、このバンド部の巻回した状態を保つバックル部１０１と、パネル２００に立設されたスタッドボルト２０１に係止する筒状のパネル係止部１０２とを備えたものが知られている。このパネル取付部１０２には、スタッドボルト２０１に係合する弾片が形成され、パネル取付部１０２へスタッドボルト２０１を挿入すると、この弾片がボルトのねじに係合してパネル取付部１０２がパネル２００に取付くようになっていた。
【０００３】
上述した公知の留め具において、ワイヤをパネルに固定するには便利であるが、配線後の修正や交換、更には保守や修理において、その配線を解くために留め具を取外すのが困難であった。すなわち、留め具を取外すため、筒状のパネル取付部を破壊することが必要になったり、ワイヤを傷つけないようにバンド部を切断しなければならなかった。従って、取外しが面倒なだけでなく、留め具の再使用ができなかったし、特に、結束したワイヤを解くのはワイヤがばらばらになるので好ましくなかった。
【０００４】
そこで、取外しが容易で且つ破壊せずにでき、取外し後再使用が可能なワイヤ等の線材の留め具が開発された。これは、パネル取付部が、バンド部及びバックル部を含む結束部とは別体に形成され、結束部は、筒状のパネル取付部の外周を包囲する管状の連結部を有し、パネル取付部の外周には、該パネル取付部が結束部の管状連結部に対し軸心回りに回転可能に連結されるように該管状連結部を係止する手段が設けられており、該係止手段は、パネル取付部の外周面に沿って斜め外方に延び且つ管状連結部の受入側に向けて小径になるようにテーパ状にした弾性ウイングを含んでおり、結束部の管状連結部の内面とパネル取付部の外面とは、相互に対向する方向に突出して係合手段が設けられているものである（特許文献１参照）。
【特許文献１】実用新案登録第２６０４７８２号公報（第３頁、図１１）
【発明の開示】
【発明が解決しようとする課題】
【０００５】
特許文献１に開示されたパネル取付部は、全体として筒状に形成され、パネルに接面して着座するフランジ部とその上の軸部とで構成されている。フランジ部は、結束部の管状連結部の下部に収容される大きさに形成され、その外周面には半径方向に突出する弾性の係止片が複数形成されている。この係止片は、結束部が連結された場合に小径部の下側の突起に係止して、パネル取付部が結束部に対しパネルの振動等により回転しないようにしている。また、フランジ部の内側には、スタッドボルトのねじに係止する一対の係止爪が設けられていて、パネル取付部をスタッドボルトに押込むことによって固定されるようになっているものである。このパネル取付部は、通常樹脂成形品であり、軸部の形状は図示されたように複雑であり、金型の制作費も嵩むものであり、かつ剛性も低くなり、パネルへの取付け、取外しという作業時に損傷のおそれもあった。
【０００６】
そこで、本発明は、従来の軸部に相当するパネル取付部の構成部品であるナット部の構造を簡単なものとし、金型費用も安価にし、かつ剛性も高め、しかも取付け、取外しをより容易にし、再使用も可能とした線材留め具を提供することを目的とする。
【課題を解決するための手段】
【０００７】
上記目的を達成するため、本発明は、ワイヤ等の線材を束ねる線材結束部と、車体等のパネルに立設されたスタッドボルトに取付くパネル取付部とを備えた線材留め具において、前記パネル取付部が、線材結束部と連結された筒体部とこの筒体部に嵌入されるナット部とから成り、前記筒体部の内部に半球よりも若干大きめの空間を形成し、前記ナット部を多角形状の頭部と筒体部の空間に嵌入される球体部とから構成し、この球体部を筒体部の空間入口を押し拡げ、あるいは球体部の球径を縮小させて当該空間へ嵌入させた状態で回転可能とし、前記球体部の内部を中空とし、この内部に前記スタッドボルトが球体部の中空内に挿入されたときスタッドボルトのねじに係止する係止爪を形成したものである。
【発明の効果】
【０００８】
本発明によれば、線材結束部で線材を束ねパネル取付部の筒体部の空間にナット部の球体部を嵌入して球体部の筒体部空間からの抜け出しを防止した後、ナット部の球体部の中空内にスタッドボルトを挿入すると、球体部の係止爪がスタッドボルトのねじに係止し、その後ナット部をねじ込む方向へ回転させると筒体部の底がパネルに接することとなり、簡単かつ迅速にパネルへの取付けが行えるとともに、取外すときは、ナット部の係止爪がスタッドボルトのねじに沿って上昇するようにナット部を回転させれば、パネル取付部全体のパネルからの取外しも容易に行える。このような取付け、取外し操作時には、ナット部の頭部が多角形状であるため、スパナ、レンチなどの工具で回転させ易い。また、ナット部を強制的に引き上げて係止爪を破損させることもなく、ナット部の回転によりめねじに相当する係止爪がスタッドボルトのねじ（おねじ）に沿って上昇して螺合を解除できるので、取外し後の再使用も可能である。また、半球よりも若干大きい球体とその外周面に倣う形状に形成された空間との嵌め合わせであり、係止爪を球体部の中空内に形成しておくことで、筒体部及びナット部を樹脂成形するときも、金型も複雑にならず、安価に製作できるとともに、ナット部の剛性も高いものとすることができる。さらに、球体と球体を受け入れる空間という形状であり、構造も簡単なものとなり、金型費用も安価となり、成形されたものの剛性も十分なものとすることができる。
【発明を実施するための最良の形態】
【０００９】
以下に本発明の実施形態について図面を参照にして説明する。
【００１０】
図１は、全体の平面図であり、バンドを用いてワイヤハーネスなどの線材を巻回して固定する線材結束部１と、車体等のパネルに立設されたスタッドボルトに取付くパネル取付部２と、線材をクランプするクランプ部３とを備えた線材留め具を示す。前記パネル取付部２は、線材結束部１と連結された筒体部４とこの筒体部４に挿入されるナット部５とから成る。また、図７に示すと同様のスタッドボルト２０１のねじに係止する一対の係止爪６をナット部５の内部に形成してある。これらの線材結束部１（バンド）、パネル取付部２の筒体部４、クランプ部３は、樹脂成形により一体的に成形されるのが一般的である。
【００１１】
図２は、パネル取付部２の断面図であり、前記ナット部５は断面にしない状態で表示してある。前記筒体部４の内部に半球よりも若干大きめの球状の空間７を形成し、この空間７の上部開口の周囲に複数のスリット８を形成してある。また、筒体部４の底にはスタッドボルトの挿通孔９を形成してある。前記ナット部５は、上部の多角形（図示するものは六角形）状の頭部５Ａと球体部５Ｂとから形成してある。この球体部５Ｂは、前記空間７に嵌入される。そのとき、スリット８があるので筒体部４の上端側は拡開して球体部５Ｂの嵌入を許し、嵌入状態において、この球体部５Ｂは筒体部４内で回転可能になっている（筒体部４は不動）。前記ナット部５の球体部５Ｂの内部は中空１０に形成され、かつこの内部にスタッドボルト２０１のねじに係止する係止爪６を形成してある（図３，図４参照）。また、球体部５Ｂには、対向する２ヶ所において可撓性を有する弾性羽根５Ｃを形成してあり、この弾性羽根５Ｃは球体部５Ｂを切欠いて形成したために、切欠部５Ｃ´が形成される（図４参照）。また、球体部５Ｂの底には、スタッドボルト２０１が挿通される穴５Ｄが形成されている。
【００１２】
また、図３及び図４に示したように、ナット部５の頭部５Ａにも中空１０と連通する貫通孔５Ｅを形成してある。頭部５Ａが塞がれていると、成形装置にスライド機構を設ける必要が生じるが、貫通孔５Ｅを形成することでスライド機構は不要となり、金型装置も安価なものとなる。ナット部５に貫通孔５Ｅ、中空１０、穴５Ｄ、切欠部５Ｃ´が形成されていても、頭部５Ａの多角形状とそれに続く球体部５Ｂの球形の組合わせにより、剛性は低下しない。
【００１３】
図５は、クランプ部３の詳細を示すものであり、上の２本のアーム３Ａと下の１本のアーム３Ｂとの間で線材をクランプするようになっている。このようなクランプ部３を設けることにより、線材結束部１で束ねた線材とは別個の線材も１つの留め具で束ねることができる。
【００１４】
図６は、線材結束部１としてバンドを使わずに、ヒンジロックタイプ１Ｂを用いた例を示し、このヒンジロックタイプ１Ｂが筒体部４に一体成形される。このヒンジロックタイプ１Ｂは、上側部材１１と下側部材１２とをヒンジ部１３で開閉可能とし、ロック部１４で閉じておくことができるようにしたものである。なおまた、このようなヒンジロックタイプ１Ｂの替りにテープ（図示せず）を用いて線材を結束するようにすることもできる。
【００１５】
前記ナット部５の筒体部４の空間７への嵌入は、スリット８を筒体部４に形成することで筒体部４の上部開口を拡げることで図ったが、ナット部５の球体部５Ｂの球径を縮小させることにより嵌入を図ることもできる。前述した実施形態では、球体部５Ｂに切欠部５Ｃ´、穴９が形成してあり、球体部５Ｂの肉厚にもよるが、球径を縮小させることは可能である。あるいは、空間７の大きさを球体部５Ｂよりもひとまわり位大きく形成し、嵌入後は弾性羽根５Ｃがこの空間７の内面に接触するようにすれば、弾性羽根５Ｃを切欠部５Ｃ´へ押し込みつつ球体部５Ｂを空間７へ嵌入することができる。
【図面の簡単な説明】
【００１６】
【図１】平面図。
【図２】パネル取付部の断面図。
【図３】ナット部の斜視図。
【図４】ナット部の断面図。
【図５】クランプ部の詳細を示す斜視図。
【図６】ヒンジロックタイプの線材結束部のみを示す斜視図。
【図７】従来例の断面図。
【符号の説明】
【００１７】
１    線材結束部
２    パネル取付部
４    筒体部
５    ナット部
５Ａ  頭部
５Ｂ  球体部
５Ｃ  弾性羽根
５Ｃ´  切欠部
５Ｄ  穴
５Ｅ  貫通孔
６    係止爪
７    空間
１０  中空
２００  パネル
２０１  スタッドボルト
Ｗ    線材
【図１】
2006060973.tif 000003
【図２】
2006060973.tif 000004
【図３】
2006060973.tif 000005
【図４】
2006060973.tif 000006
【図５】
2006060973.tif 000007
【図６】
2006060973.tif 000008
【図７】
2006060973.tif 000009